(57)【要約】      （修正有）【課題】就寝者が寝返り等により移動しても就寝者の頭部に光を照射できる目覚まし照明装置を提供する。【解決手段】目覚まし照明装置１は、就寝者の頭部を収容する内部空間１０ｂと、内部空間から就寝者の首部を出し入れ可能な開口１１と、を有する本体１０と、本体に対し上下方向に回動可能なバイザー２０とを備える。本体又はバイザーの内周面に向かって照明装置５０が光を照射するので、就寝者が寝返り等により移動しても光を適切な箇所（就寝者、特に頭部）に照射できる。【選択図】図５
2015187986.tif 000002
【特許請求の範囲】
【請求項１】
就寝者の頭部に光を照射する照明装置と、その照明装置により照射される光の照度又は色温度を制御する制御装置と、起床時間を設定する時刻手段とを備え、前記制御装置によって前記起床時間に照射される前記光の照度又は色温度が制御される目覚まし照明装置において、
前記就寝者の頭部が収容される内部空間と、その内部空間から前記就寝者の首部を露出させる開口と、を有する本体を備え、
前記照明装置は前記本体の内周面に向かって光を照射することを特徴とする目覚まし照明装置。
【請求項２】
前記本体を上下方向で回動可能に支持するスタンドを備え、前記本体が上方に回動することにより就寝者の頭部が前記内部空間から開放されることを特徴とする請求項１記載の目覚まし照明装置。
【請求項３】
前記本体の高さを変更可能に支持するスタンドと、そのスタンドに対する本体の高さを固定する固定部材とを備えることを特徴とする請求項１又は２に記載の目覚まし照明装置。
【請求項４】
前記スタンドは、寝具が敷設される寝床面に載置され板状部材で形成される接地板と、その接地板から立設され前記本体を支持する柱部とを備えることを特徴とする請求項２又は３に記載の目覚まし照明装置。
【発明の詳細な説明】
【技術分野】
【０００１】
本発明は、目覚まし照明装置に関し、特に、就寝者が寝返り等により移動しても就寝者の頭部に光を照射できる目覚まし照明装置に関するものである。
【背景技術】
【０００２】
光刺激により就寝者を快適に目覚めさせる目覚まし照明装置がよく知られている（特許文献１参照）。上記目覚まし照明装置は、就寝者の枕元に照明装置２，３が設置されている。
【０００３】
上記照明装置２，３により就寝者に照射される光の色温度又は照度を調整することで睡眠の質を向上させ、快適な目覚めを実現させている。
【先行技術文献】
【特許文献】
【０００４】
【特許文献１】特許第３５５０７８４号公報（図３、段落００１３）
【発明の概要】
【発明が解決しようとする課題】
【０００５】
しかしながら、上述した従来の目覚まし照明装置では、光源の位置が固定されているため、就寝者が寝返り等により移動してしまうと、光の照射位置もずれてしまう。この場合は、照明装置２，３により就寝者の頭部を照射することができないという問題点を有していた。
【０００６】
本発明は上述した問題点を解決するためになされたものであり、就寝者が寝返り等により移動しても就寝者の頭部に光を照射できる目覚まし照明装置を提供することを目的としている。
【課題を解決するための手段及び発明の効果】
【０００７】
請求項１記載の目覚まし照明装置によれば、本体の内部空間には就寝者の頭部が収容され本体の開口から就寝者の首部が露出されるので、就寝者は本体の内部空間に頭部を収容した状態で寝返り等により移動できる。
【０００８】
ここで、照明装置により本体の内周面に向かって光が照射されると、本体の内周面に向かって照射された光が当該内周面に反射して本体の内部空間内で拡散される。本体の内部空間内で拡散された光により、本体の内部空間に収容される就寝者の頭部が照射されるので、就寝者が寝返り等により移動しても、就寝者の頭部に光を照射できるという効果がある。
【０００９】
請求項２記載の目覚まし照明装置によれば、請求項１記載の目覚まし照明装置の奏する効果に加え、本体はスタンドに上下方向で回動可能に支持され、本体が上方に回動されることにより就寝者の頭部が内部空間から開放される。よって、就寝者が閉塞感を感じた場合等は、本体を上方に回動させるという簡単な動作で就寝者の頭部を内部空間から開放できるという効果がある。
【００１０】
請求項３記載の目覚まし照明装置によれば、請求項１又は２に記載の目覚まし照明装置の奏する効果に加え、本体はスタンドに対してその高さを変更可能に支持されるので、寝具の厚みや就寝者の頭の大きさに応じてスタンドに対する本体の上下方向の位置を調整でき、これにより本体と寝具との間に隙間が形成される。寝具との間に隙間を形成した状態でスタンドに対する本体の高さが固定部材により維持される。
【００１１】
よって、本体と寝具との間に維持された上記隙間を介して本体の内部空間と本体の外部との間で空気循環を行うことができ、空気循環のためにファンを内部空間内に配置する必要がないので、ファンによる騒音を防止できるという効果がある。
【００１２】
請求項４記載の目覚まし照明装置によれば、請求項２又は３に記載の目覚まし照明装置の奏する効果に加え、寝具が敷設される寝床面に板状部材で形成される接地板が載置され、その接地板から立設される柱部に本体が支持されるので、寝具の変形に伴う本体のぐらつきを防止できるという効果がある。
【００１３】
即ち、本体が寝具の上面に配置されていないので、就寝者の寝返り等により寝具が変形しても、その寝具の変形に伴い本体がぐらつくことを防止できるという効果がある。
【図面の簡単な説明】
【００１４】
【図１】本発明の第１実施の形態における目覚まし照明装置の斜視図であり、（ａ）はバイザーを閉じた状態を示す目覚まし照明装置の斜視図であり、（ｂ）はバイザーを開けた状態を示す目覚まし照明装置の斜視図である。
【図２】（ａ）はバイザーを閉じた状態を示す目覚まし照明装置の正面図であり、（ｂ）は図２（ａ）におけるＩＩｂ−ＩＩｂ線における目覚まし照明装置の断面図であり、（ｃ）はバイザーを閉じた状態を示す目覚まし照明装置の背面図である。
【図３】（ａ）はバイザーを開けた状態を示す目覚まし照明装置の正面図であり、（ｂ）は図２（ａ）のＩＩＩｂ方向視における目覚まし照明装置の側面図であり、（ｃ）はバイザーを開けた状態を示す目覚まし照明装置の底面図である。
【図４】（ａ）は図３（ａ）のＩＶａ部分における目覚まし照明装置の拡大図であり、（ｂ）は図４（ａ）におけるＩＶｂ−ＩＶｂ線における目覚まし照明装置の断面図であり、（ｃ）は図４（ｂ）におけるＩＶｃ−ＩＶｃ線における目覚まし照明装置の断面図である。
【図５】（ａ）は目覚まし照明装置の使用状態を示す側面図であり、（ｂ）は目覚まし照明装置の組立状態を示す斜視図である。
【図６】本発明の第２実施の形態における目覚まし照明装置を表すものであり、（ａ）は目覚まし照明装置の使用状態を示す側面図であり、（ｂ）は目覚まし照明装置の組立状態を示す斜視図である。
【図７】（ａ）目覚まし照明装置の正面図であり、（ｂ）は図７（ａ）のＶＩＩｂ−ＶＩＩｂ線における目覚まし照明装置の断面図である。
【図８】（ａ）は目覚まし照明装置の背面図であり、（ｂ）は本体を取り外した状態を示す目覚まし照明装置の正面図である。
【図９】（ａ）は目覚まし照明装置の平面図であり、（ｂ）は目覚まし照明装置の底面図である。
【図１０】（ａ）は本体を閉じた状態を示す目覚まし照明装置の側面図であり、（ｂ）は本体を開放した状態を示す目覚まし照明装置の側面図であり（ｃ）は本体を上限まで回動させた状態を示す目覚まし照明装置の側面図である。
【図１１】（ａ）は本体を寝具から離間させた状態を示す目覚まし照明装置の側面図であり、（ｂ）は本体を寝具に近接させた状態を示す目覚まし照明装置の側面図であり、（ｃ）は本体を上限に位置させた状態を示す目覚まし照明装置の側面図である。
【図１２】（ａ）は就寝から起床にかけて第１照明により照射される光の照度の変化を示すグラフであり、（ｂ）は就寝から起床にかけて第２照明により照射される光の照度の変化を示すグラフであり、（ｃ）は就寝から起床にかけて第１照明及び第２照明により照射される光の照度の変化を示すグラフである。
【図１３】（ａ）は就寝０分から５０分の間に照射される光の色温度を表す目覚まし照明装置の概略正面図であり、（ｂ）は就寝５０分後から起床時間３０分前までに照射される光の色温度を表す目覚まし照明装置の概略正面図であり、（ｃ）は起床時間３０分前に照射される光の色温度を表す目覚まし照明装置の概略正面図であり、（ｄ）は起床時間２０分前に照射される光の色温度を表す目覚まし照明装置の概略正面図であり、（ｅ）は起床時間１０分前に照射される光の色温度を表す目覚まし照明装置の概略正面図であり、（ｆ）は起床時間１分前に照射される光の色温度を表す目覚まし照明装置の概略正面図である。
【発明を実施するための形態】
【００１５】
以下、本発明の好ましい実施形態について添付図面を参照して説明する。図１から図３を参照して、本発明の第１実施の形態における目覚まし照明装置１について説明する。図１は本発明の第１実施の形態における目覚まし照明装置１の斜視図であり、図１（ａ）はバイザー２０を閉じた状態を示す目覚まし照明装置１の斜視図であり、図１（ｂ）はバイザー２０を開けた状態を示す目覚まし照明装置１の斜視図である。
【００１６】
図２（ａ）はバイザー２０を閉じた状態を示す目覚まし照明装置１の正面図であり、図２（ｂ）は図２（ａ）におけるＩＩｂ−ＩＩｂ線における目覚まし照明装置１の断面図であり、図２（ｃ）はバイザー２０を閉じた状態を示す目覚まし照明装置１の背面図である。
【００１７】
図３（ａ）はバイザー２０を開けた状態を示す目覚まし照明装置１の正面図であり、図３（ｂ）は図３（ａ）のＩＩＩｂ方向視における目覚まし照明装置１の側面図であり、図３（ｃ）はバイザー２０を開けた状態を示す目覚まし照明装置１の底面図である。
【００１８】
図１に示すように、目覚まし照明装置１は、高照度光技術を利用した快適な睡眠および目覚めを誘導させるもの（疑似太陽光目覚まし）であって、光を照射する照明装置５０と、その照明装置５０により照射される光の照度又は色温度を制御する制御装置３０と、起床時間を設定する時刻手段６０とを備えており、時刻手段６０により設定された起床時間に照明装置５０から照射される光の照度又は色温度が制御装置３０によって制御される。
【００１９】
図１、図２（ｂ）及び図３（ｂ）に示すように、目覚まし照明装置１は、本外部からの光や騒音を遮断するために外部から区画された空間を形成する本体１０を備えている。本体１０は、ヘルメット型の筐体、即ち球体形状の筐体で形成され、就寝者の頭部が収容される内部空間１０ｂと、前方（図２（ａ）前方）に開放され内部空間１０ｂから就寝者の頭部を露出させる開口１１と、その開口１１の一部を閉塞するバイザー２０と、バイザー２０により覆われる一対の突出部１２と、本体１０の背面に凹設される凹みである凹部１０ａと、下方（図２（ａ）下方）に開放される開口１３に跨設される補強板１６と、を備えている。
【００２０】
本体１０は、強度と耐久性に優れた材質としてポリプロピレンで構成され、ヘルメット型の球状筐体とされているので、その剛性が強化されている。よって、防災用ヘルメットと同等に地震等の災害から直接的に就寝者の頭部を保護できる。
【００２１】
図２（ｂ）に示すように、本体１０の内周面には、全体に亘ってポリエステル製の吸音部材１５ａが貼着される。よって、吸音部材１５ａは、湿度を一定に調整する漆喰に似た性質と遠赤外線効果とを併せ持つので、本体１０の内部空間１０ｂにおける湿度や温度等を適切に保つことができる。
【００２２】
また、吸音部材１５ａにより、本体１０の外部で発生する騒音が本体１０の内部空間１０ｂに伝播するのを抑制できるので、本体１０の内部空間１０ｂを静音状態に保つことができる。なお、後述する４つの第１照明５０ａは吸音部材１５ａから露出した状態で配置されている。
【００２３】
図２及び図３に示すように、バイザー２０は、素材は本体１０と同様にポリプロピレンで構成され、本体１０に対して上下方向で回動可能に取り付けられ、上方に回動されることで開口１１の一部が開かれて内部空間１０ｂが外部に開放される共に、下方に回動されることで開口１１の一部が閉じられて内部空間１０ｂの一部が閉塞される。
【００２４】
図２（ｂ）に示すように、バイザー２０の内周面には、ポリエステル製の吸音部材１５ｂが貼着される。よって、吸音部材１５ａと同様に、本体１０の内部空間１０ｂにおける湿度や温度等を適切に保つことができると共に本体１０の内部空間１０ｂを静音状態に保つことができる。
【００２５】
図２に示すように、バイザー２０を閉じることで本体１０の内部空間１０ｂはバイザー２０により外部から遮断されるので、無意識で浴びている磁場（電気製品の待機中に生じる微量放射能等）から就寝者の頭部を守ることができる。
【００２６】
バイザー２０により本体１０の内部空間１０ｂは外部から遮断されるので、かかる閉塞空間を利用することで、睡眠時に音・光・映像により世界のリゾート地にいる気分を再現でき、プラネタリウムや宇宙空間の再現できる。従って、従来品に比べてエンターテイメント性を十分に発揮できる。
【００２７】
本体１０やバイザー２０の外装にはパールホワイト色が付されるが、ユーザーの用途や好みに応じて様々なカラーを付すことが可能である。本体１０やバイザー２０の内装（吸音部材１５ａ，吸音部材１５ｂ）は、光の反射に最も有効な白色単色が付されている。
【００２８】
図２（ａ）、図２（ｂ）及び図３（ｂ）に示すように、突出部１２には、本体１０に対してバイザー２０を上下方向（図２（ｂ）上下方向）に回動可能に支持する回動軸２１が設けられている。回動軸２１には、バイザー２０だけでなく、お椀状の回動部材４０がバイザー２０と連動して、本体１０に対して上下方向（図２（ｂ）上下方向）に回動可能に支持されている。また、回動軸２１は、バイザー２０が下方に位置した状態及び上方に位置した状態を保つためのロック機構（図示せず）を有しており、就寝時にバイザー２０が落下することにより、就寝者と干渉しないように手当てされる。
【００２９】
図２及び図３に示すように、正面視における左側（図２（ａ）左側）の回動部材４０には、前述した時刻手段６０が設けられている。回動部材４０は本体１０の外側に配置されるので、本体１０内に時刻手段６０を配置した場合に比べて、本体１０内の内部空間１０ｂを拡大することができる。
【００３０】
なお、時刻手段６０を本体１０の外部に設ける場合は、バイザー２０が本体１０に対して回動するため、時刻手段６０が回動するバイザー２０と干渉したり、時刻手段６０に使用される配線がバイザー２０により断線されたりすることを防止する必要がある。このため、時刻手段６０が設けられる回動部材４０は、本体１０ではなくバイザー２０と連動するように設けられている。
【００３１】
正面視における右側（図２（ａ）右側）の突出部１２はその内周面から第１停止スイッチＳＷ１が突設されている。第１停止スイッチＳＷ１は、照射解除のための操作子であり、一般的な目覚まし時計で採用されているスヌーズ機能（いったんアラームのスイッチを切ってもしばらく経つとアラームが鳴るようにする機能）に対応する。これを押すと一時的に照明装置５０からの光の照射は停止されるが、所定期間経過後に再度、照明装置５０から光が照射されるように構成されている。
【００３２】
図２（ｃ）に示すように、凹部１０ａには本体１０（ケース３２）内に外気を取り込む取込口１０ａ１が貫通形成されており、図２（ｂ）に示すように、凹部１０ａの外側壁面（図２（ｂ）左側壁面）には第２停止スイッチＳＷ２が配設されている。第２停止スイッチＳＷ２は、照射解除のための操作子であり、一般の目覚まし時計で採用されている「完全オフスイッチ」である。これが押されると照明装置５０からの光の照射が完全に停止される。
【００３３】
上述したように、第１停止スイッチＳＷ１を本体１０の内部に配置する一方、第２停止スイッチＳＷ２を本体１０の外部に配置することで、数分の仮眠を可能としつつ、二度寝による寝坊を完全に防止できる。というのは、第１停止スイッチＳＷ１は、就寝者が起き上がらなくても押すことができるため、すぐ起きたくない（仮眠を取りたい）場合には、第１停止スイッチＳＷ１を押せばよい。
【００３４】
第１停止スイッチＳＷ１を１回押す毎に１分間ＯＦＦ状態となり、また１分後に、後述する第２停止スイッチＳＷ２が押されていない場合は、２度寝している場合と判断し、照明装置５０により再度高照射状態となる。完全に起きたという行動を認識させるまで、同様に繰り返される。
【００３５】
このように、第１停止スイッチＳＷ１によって照明装置５０からの光の照射を一時的に停止しても、所定時間経過すれば再度、照明装置５０からの光の照射が再開されるので、照明装置５０からの光の照射を完全に停止させるためには、第２停止スイッチＳＷ２により完全停止とする必要がある。
【００３６】
第２停止スイッチＳＷ２を完全停止とするためには、就寝者はその就寝者の頭部を覆うバイザー２０を開き、体を起こして本体１０の背面側まで手を伸ばし、第２停止スイッチＳＷ２を押すという動作を行う必要がある。即ち、寝たままでは第２停止スイッチＳＷ２を押すことができず、体を起こして動かさないと押せない構造とされる。
【００３７】
よって、本発明の目覚まし照明装置１によれば、寝たままで対応可能な第１停止スイッチＳＷ１のみだけでなく、体を起こして動かさないと対応できない第２停止スイッチＳＷ２も有するので、数分の仮眠を可能としつつ、二度寝による寝坊を防ぐことができる。
【００３８】
なお、第２停止スイッチＳＷ２を押し忘れた場合に、スヌーズ機能により照射が繰り返されて照射継続状態となってしまうので、これを防止すべく、照射が３０分を継続した場合に「無人」と自動判断をし、照射が完全ＯＦＦとされる。
【００３９】
開口１１は頭部を出し入れするためのものであって、本体１０の上縁が本体１０を設置する設置面に対して１１０°以上となるように設定されている。よって、後述するバイザー２０を開けた（上方に回動させた）状態であれば、本体１０内に就寝者の頭部を入れても、就寝者の視界にバイザー２０が入らないので、閉所恐怖症の人でも目覚まし照明装置１の使用が可能となる。一方、バイザー２０を閉じる（下方に回動させる）ことで本体１０の開口１１の一部が閉塞され、本体１０の内部空間１０ｂが外部から遮断される。
【００４０】
なお、バイザー２０を開けた（上方に回動させた）状態でも照明装置５０から光が照射されるが、かかる状態では、本体１０の内部空間１０ｂが外部から遮断された状態とならないので、バイザー２０を閉じた（下方に回動させる）状態と比べて、バイザー２０を開けて使用する場合は、照明装置５０から照射される光の照度又は色温度を高めに設定する必要がある。
【００４１】
補強板１６は長尺状の板材の両端を折り曲げて構成されたものであって、本体１０における一対の突出部１２に連結される。これにより、本体１０を補強できるので、防災用ヘルメットと同等に地震等の災害から直接的に就寝者の頭部を保護するために必要な強度を確保できる。また、補強板１６は就寝者の頭（枕）の位置となるように配置される。
【００４２】
補強板１６の上面に枕を置くことで、この枕位置を基準として上述した就寝者のこめかみに後述する第１照明５０ａによる光照射が可能となる。また、補強板１６に加速度センサー（図示せず）を設けることで、睡眠中の寝返り等の体動を認識できる。よって寝返り等体動の回数や速度等に対応して、照明装置５０による光照射のタイミングや、光の照度又は色温度が調整可能となる。
【００４３】
例えば、寝返り等体動の回数が少ない場合は、熟睡していると判断し、後述する第１照明５０ａによる光照射のタイミングを早めたり、光の照度又は色温度を強くしたりすることで、その日の体調に合わせた光照射が可能となるので、自然な寝起きを実現できる。
【００４４】
図２（ａ）及び図３（ａ）に示すように、第１照明５０ａは、就寝者の頭部に向かって光を照射するものであって、第１照明５０ａで照射される光は、脳内物質のセロトニンを発生させ体内時計（生活リズム）を調整するための色温度の高い又は高照度の白色のＬＥＤ光である。
【００４５】
第１照明５０ａは、本体１０の内周面における上部に４つ配置されている。就寝者が左右へ寝返りした場合であっても、４つの第１照明５０ａによって、就寝者の就寝状態におけるこめかみを照射できるように、４つの第１照明５０ａが左右方向（図２（ａ）及び図３（ａ）の左右方向）に分散配置されている。
【００４６】
具体的には、４つの第１照明５０ａは、本体１０の上縁における頂部を挟んで左右対称に配置されており、中央の２つの第１照明５０ａは、本体１０の上縁における頂部に配置されており、両側の２つの第１照明５０ａは、中央の２つの第１照明５０ａの両側に配置されている。
【００４７】
就寝者のこめかみを狙って第１照明５０ａによる光の照射が行われる理由は、第１照明５０ａにより照射される光は実際には直視しても問題はないが、光の直視は危険であるとの認識が少なからずあることから、これを避けるためである。
【００４８】
また、枕上の寝返りを想定した場合、目線の位置よりもこめかみの位置の方が各人による誤差が少ないので、老若男女を対象とする不特定多数の就寝者であってもその就寝者に照射される光の位置のばらつきを防止するためである。
【００４９】
一方、光による刺激は、目ではなく、視交叉上核（視交叉の直上の視床下部にある神経細胞の集団からなる小さな核。概日リズムを刻む体内時計の機能をもっている）で認識されるので、目に直接照射する必要もないからである。
【００５０】
図２（ｂ）に示すように、第２照明５０ｂは、本体１０の内周面に向かって光を照射するものであって、後述する制御装置３０のケース３２に収容されている。第２照明５０ｂは、赤色ＬＥＤと緑色ＬＥＤと青色ＬＥＤとで構成されるＲＧＢ照明であり、色温度が中から低い又は中低照度の光である。
【００５１】
第２照明５０ｂをＲＧＢ照明とすることにより、赤色ＬＥＤと緑色ＬＥＤと青色ＬＥＤによって様々な色を表せるので、色温度が変化する疑似太陽光（を再現できる。即ち、第２照明５０ｂで照射される光は、朝陽の再現による「最も快適な寝起きのタイミング」を調整するためである。
【００５２】
バイザー２０を閉じた状態であっても本体１０の開口１１からは就寝者の首部が露出されるので、就寝者は本体１０の内部空間１０ｂ内で寝返り等による移動が可能となる。本体１０の内周面に向かって第２照明５０ｂから光が照射されると、照射された光が本体１０の内周面に反射して本体１０の内部空間１０ｂ内で拡散されるので、就寝者が寝返り等により移動しても、本体１０の内部空間１０ｂ内で拡散された光を就寝者の頭部に照射できる。
【００５３】
図２（ａ）及び図２（ｂ）に示すように、制御装置３０は、光の照度又は色温度を制御する基板３１と、その基板３１が収容されるケース３２とを備えており、ケース３２は、照明装置５０と同様に本体１０の内部空間１０ｂ内に配置される。基板３１及びケース３２の詳細は、図４を参照して後に詳述する。
【００５４】
図２（ａ）及び図３（ａ）に示すように、時刻手段６０は、液晶パネルで構成され現在の時刻や起床希望時刻が表示される時刻表示部６１と、起床時間を設定したり光の照度又は色温度の強さを調整したりするための４つの操作子６２とを備える。
【００５５】
操作子６２を操作して起床希望時間を設定することにより、その起床時間又はその直前に、照明装置５０から就寝者に照射される光の照度又は色温度が、制御装置３０の基板３１によって最大値となるように制御される。
【００５６】
さらに、図４を参照して、ケース３２について詳述する。図４（ａ）は図３（ａ）のＩＶａ部分における目覚まし照明装置１の拡大図であり、図４（ｂ）は図４（ａ）におけるＩＶｂ−ＩＶｂ線における目覚まし照明装置１の断面図であり、図４（ｃ）は図４（ｂ）におけるＩＶｃ−ＩＶｃ線における目覚まし照明装置１の断面図である。
【００５７】
図４（ｂ）に示すように、基板３１は、第１照明５０ａ（図３（ａ）参照）及び第２照明５０ｂにより照射される光の照度及び色温度を制御するものであり、ファン３２ｂ（ファンケース）により支持されることで、ケース３２の収容空間３２ａに収容されている。
【００５８】
図４（ａ）、図４（ｂ）及び図４（ｃ）に示すように、ケース３２は、基板３１が収容される収容空間３２ａと、収容空間３２ａ及び本体１０の内部空間１０ｂを連通する放出口３２ｄと、収容空間３２ａを介して本体１０の外部及び内部空間１０ｂの間で空気循環を行うファン３２ｂと、を備えている。
【００５９】
図４（ｃ）に示すように、ケース３２は、平面視（図４（ｃ）紙面垂直方向視）で平板の両端を折り曲げたコ字状に形成され、内部空間１０ｂに露出する表面に吸音部材１５ａが貼着されている。
【００６０】
ケース３２は、その端面を本体１０の内周面に固着させ、ケース３２の内部（ケース３２の内周面と本体１０の内周面との間）にケース３２の収容空間３２ａが形成される。
【００６１】
ケース３２に嵌合口３２ｂ１が貫通形成されており、かかる嵌合口３２ｂ１に基板３１を冷却するファン３２ｂ（ファンケース）が嵌合されて、ファン３２ｂ（羽部）がケース３２の収容空間３２ａに配置される。
【００６２】
図４（ｂ）及び図４（ｃ）に示すように、ケース３２には矩形板状の支持板３３が固着される。支持板３３と本体１０の内周面との間に、ケース３２の収容空間３２ａの空気を収容空間３２ａ外（本体１０の内部空間１０ｂ内）に放出する開口である放出口３２ｄが形成される。支持板３３は、本体１０の背面側の内周面に向かって上昇傾斜するように斜めに配置されており、支持板３３の上面に第２照明５０ｂが配設される。
【００６３】
図４（ｂ）及び図４（ｃ）に示すように、ファン３２ｂにより本体１０の取込口１０ａ１（図２（ｃ）参照）からケース３２の収容空間３２ａに本体１０の外部空気が取り入れられ、その取り入れられた外部空気が放出口３２ｄを介して本体１０の内部空間１０ｂ内へ放出される。この繰り返しにより、ケース３２の収容空間３２ａを介して本体１０の内部空間１０ｂと本体１０の外部との間で空気循環が行われる。
【００６４】
目覚まし照明装置１は、空気循環が行われない場合に比べて、本体１０内の内部空間１０ｂに外部空気を取り入れることにより、窒素・二酸化炭素・酸素等の濃度やの温度を下げ、匂いの滞留を防止し、音の反響を逃がし、温度・湿度を適切に保つことができる。
【００６５】
また、頭寒足熱の理論上、体（深部体温）よりも頭部を冷やすと脳波が鎮静する理論を実現する。そこで、空気循環をすることにより、常に気流がある状態であれば機内（内部空間１０ｂ）は機外よりも、理論上、若干低い温度に設定できる。
【００６６】
吐く息には人それぞれ、特に飲食の後には臭素が滞留するので、本体１０の内部空間１０ｂと本体１０の外部との間で空気循環させることにより、常に機内は安定した匂いに保つことができる。
【００６７】
ケース３２が本体１０の背面側（図４（ｂ）右側）で左右方向（図４（ｃ）左右方向）の中央に設置されている。この位置に配置することで、ファン３２ｂを就寝者の左右の耳から均等に離間させることができるので、通常使用におけるファン３２ｂの回転数であれば、快適な睡眠を確保できる。
【００６８】
なお、このファン３２ｂは目覚ましＳＥＴ時間（起床時間）から１時間後にオートパワーＯＦＦをし、目覚ましＳＥＴ時間から通算１２時間後にオートパワーＯＮとなる。以後は就寝→睡眠中→起床と可動しており、同様にこのサイクルを日々繰り返す構造となっている。但し、手動（スイッチ）により強制停止・強制可動ができるようにも構成されている。
【００６９】
図５を参照して、目覚まし照明装置１の使用状態を説明する。図５（ａ）は、バイザー２０を閉じた状態を示す目覚まし照明装置１の正面図であり、図５（ｂ）は、図５（ａ）におけるＩＶｂ−ＩＶｂ線における目覚まし照明装置１の断面図であり、両図ともに就寝者が図示されている。
【００７０】
図５（ａ）に示すように、バイザー２０を閉じると、本体１０の内部空間１０ｂが外部から遮断され、その外部から遮断された空間に就寝者の頭部が配置され、就寝中はバイザー２０が閉じた状態となり、本体１０の内部空間１０ｂは外部から遮断された状態となる。就寝中において就寝者は寝返りをくり返すが、中央に配置される２つの第１照明５０ａは就寝者が仰向けの状態のときに就寝者の頭部（こめかみ）を狙える位置に設定されており、その両側に配置される第１照明５０ａは就寝者が左右方向でそれぞれ横向きになったときに就寝者の頭部（こめかみ）を狙える位置に設定される。
【００７１】
生活リズムを調整する（修復）ためには、朝陽の再現だけでは足りず、効率的にセロトニン（精神を安定させて幸せな気分にしてくれる脳内物質）を発生させる高照度２５００ＬＸ以上の照射が必要であることから、第１照明５０ａが必要となり、その配置も前述したように就寝者のこめかみに直接照射できる位置に設定される。
【００７２】
一方、第２照明５０ｂは、擬似太陽光（朝陽）を照射するものであるので、就寝者に直接照射するのではなく、約１／５球体形状で構成される本体１０の内周面を利用すべく、その内周面に第２照明５０ｂで照射される光を当てて多方向に拡散させることで、一方向ではなく多方向に拡散する擬似太陽光（朝陽）を再現している。
【００７３】
次に図６から図１３を参照して、第２実施の形態について説明する。第１実施の形態では、本体１０にバイザー２０が上下方向で回動可能に支持されており、本体１０に対してバイザー２０を上方方向に回動させることで内部空間１０ｂを外部から遮断したり外部に開放したりする場合について説明した。
【００７４】
これに対し、第２実施の形態では、本体１１０がスタンド８０に上下方向で回動可能に支持され、スタンド８０に対してその本体１１０を上下方向に回動させることで内部空間１１０ｂを外部から遮断したり外部に開放したりする場合について説明する。まず、図６から図９を参照して本発明の第２実施の形態における目覚まし照明装置１００の各構成について説明する。
【００７５】
図６（ａ）は第２実施の形態における目覚まし照明装置１００の使用状態を示す側面図であり、図６（ｂ）は目覚まし照明装置１００の分解状態を示す斜視図である。図６（ａ）においては、就寝者が図示されている。
【００７６】
図７（ａ）は目覚まし照明装置１００の正面図であり、図７（ｂ）は図７（ａ）のＶＩＩｂ−ＶＩＩｂ線における目覚まし照明装置１００の断面図である。図８（ａ）は目覚まし照明装置１００の背面図であり、図８（ｂ）は本体１１０を取り外した状態を示す目覚まし照明装置１００の正面図である。図９（ａ）は目覚まし照明装置１００の平面図であり、図９（ｂ）は目覚まし照明装置１００の底面図である。
【００７７】
図６から図９に示すように、目覚まし照明装置１００は、照明装置１５０と、就寝者の頭部が収容される内部空間１１０ｂを有する本体１１０と、回転軸１１０ａにより本体１１０を上下方向で回動可能に支持する操作部７０と、その操作部７０の高さを変更可能に支持するスタンド８０と、を有しており、照明装置１５０により照射される光が本体１１０の内周面に反射される。なお、照明装置１５０が第１照明１５０ａ及び第２照明１５０ｂと備えると共に、第１照明１５０ａがＬＥＤ照明であり色温度の高い又は高照度光であり、第２照明１５０ｂがＲＧＢ照明であり色温度の低い又は低照度の光である点は第１実施の形態と同様である。
【００７８】
図６及び図７に示すように、本体１１０は、外部からの光や騒音を遮断するために外部から区画された空間を形成するための部材であって、外部から区画された空間である内部空間１１０ｂと、就寝者の首部を露出させる開口１１１と、操作部７０が挿入される開口１１２と、本体１１０の側部後端側に形成され開口１１１より下方に延設される一対の延設部１１３と、を有し、操作部７０に対して上下方向で回動可能に構成される。
【００７９】
図６及び図７に示すように、本体１１０は、上方に凸の曲面で形成されるカバーであって内部空間１１０ｂ内に就寝者の頭部から胸部までが位置するように、左右方向（図７（ａ）左右方向）だけでなく前後方向（図７（ｂ）左右方向）にも延設される。よって、目覚まし照明装置１００の使用状態においては、就寝者の頭部から胸部までが本体１１０により覆われる。これにより、無意識で浴びている磁場（電気製品の待機中に生じる微量放射能等）から就寝者を守ることができる。
【００８０】
開口１１１は、本体１１０の先端側（図７（ｂ）右側）に形成されている。これにより、就寝者は内部空間１１０ｂから就寝者の首部を外部に露出させることができるので、就寝者の寝返りが可能となる。よって、本体１１０の内部空間１１０ｂに就寝者の頭部を収容した場合であっても、自由な寝返りによる快適な睡眠を確保できる。
【００８１】
図７（ａ）及び図７（ｂ）に示すように、一対の延設部１１３は本体１１０の後端側（基端側、図７（ｂ）左側）に形成され開口１１１より下方に延設されるので、就寝者の頭頂部及び頭側部を覆うことができる。
【００８２】
図６（ｂ）、図７（ｂ）及び図９（ａ）に示すように、回転軸１１０ａは、本体１１０に連結されるフック状の係合部１１０ａ１と、係合部１１０ａ１に一体形成される軸状の軸部１１０ａ２とを備えており、軸部１１０ａ２にはボルトＢが締結される締結穴１１０ａ３が穿設される。フック状の係合部１１０ａ１は本体１１０の基端（後端）部分に係合され、軸部１１０ａ２は操作部７０（操作部本体７１）に軸支される。
【００８３】
図８（ａ）及び図８（ｂ）に示すように、操作部７０は、本体１１０の開口１１２における上部を閉塞すると共に、内部に基板１３１が収容される箱体である操作部本体７１と、本体１１０の開口１１２における下部を閉塞すると共に、操作部本体７１の下端に連結される装飾用の板材である化粧パネル７２とを備えている。操作部本体７１には、本体１１０の内部空間１１０ｂと本体１１０の外部とを連通させる換気口７１ｅが形成されている。
【００８４】
図７（ｂ）に示すように、操作部本体７１は、本体１１０の内周面に対向すると共に前方（図７（ｂ）右方）に向かって下降傾斜するように斜めに配置されるパネルである上面パネル７１ａと、その上面パネル７１ａとＳＷ３が設けられるパネルを介して設けられ後方（図７（ｂ）左方）に向かって凹む湾曲状のパネルである正面パネル７１ｂと、上面パネル７１ａ及び正面パネル７１ｂを連結するパネルである背面パネル７１ｃとで箱体に形成される。
【００８５】
図７（ｂ）及び図８（ｂ）に示すように、上面パネル７１ａには、時刻手段１６０と、第２照明１５０ｂとが配置されている。時刻手段１６０は、時刻表示部１６１と、５つの操作子１６２とを備え、時刻表示部１６１の下側に５つの操作子１６２が配置され、時刻表示部１６１の上側に３つの第２照明１５０ｂが配置されている。
【００８６】
図７（ｂ）及び図８（ｂ）に示すように、３つの第２照明１５０ｂは下降傾斜する上面パネル７１ａに配置されているので、各第２照明１５０ｂは上向きとなり、本体１１０の内周面に向かって光を照射する。また、３つの第２照明１５０ｂは上面パネル７１ａの上縁（最も高い位置）に配置されているので、第２照明１５０ｂから照射された光は本体１１０の基端側（図７（ｂ）左側）で本体１１０の内周面に照射される。その照射された光は本体１１０の本体１１０の基端側の内周面で反射され本体１１０の先端側（図７（ｂ）右側）に向かって拡散される。
【００８７】
図７（ｂ）及び図８（ｂ）に示すように、ＳＷ３は、下降傾斜するように斜めに配置される上面パネル７１ａと後方（図７（ｂ）左方）に向かって凹む湾曲状のパネルである正面パネル７１ｂとの間に設けられるパネルに配置されることで、正面側（図８（ｂ）紙面手前側）を向くので、就寝者が視認しやすい。ＳＷ３は、二度寝防止のためのスヌーズスイッチであって、ＳＷ３とは別に設けられたスイッチ（完全オフのためのスイッチ）を切らない限り（本実施の形態では本体１１０を上方に回動させない限り）、ＳＷ３を切ってもしばらく経つとアラームが鳴るように構成されている。
【００８８】
図７（ｂ）及び図８（ｂ）に示すように、正面パネル７１ｂは、上下方向（図８（ｂ）上下方向）における略中央に左右方向（図８（ｂ）左右方向）に延設される第１照明１５０ａが配置される。正面パネル７１ｂは就寝者の頭部を覆うように下向きに配置されるので、第１照明１５０ａは下向きとなり、就寝者のこめかみに向かって光を照射する。
【００８９】
図６（ｂ）及び図７（ｂ）に示すように、背面パネル７１ｃには、後方に突出する軸受部７１ｃ１が形成される。軸受部７１ｃ１には回転軸１１０ａの軸部１１０ａ２を軸支する軸受凹部７１ｃ２が凹設されており、軸受部７１ｃ１の両側に軸部１１０ａ２の締結穴１１０ａ３より径大のボルト穴７１ｃ３が穿設される。回転軸１１０ａの軸部１１０ａ２が軸受部７１ｃ１の軸受凹部７１ｃ２に軸支されると共に、本体１１０と操作部本体７１とが連結されることで、本体１１０が操作部７０に対し上下方向で回動可能に支持される。
【００９０】
図６（ａ）、図６（ｂ）及び図７（ｂ）に示すように、化粧パネル７２の背面には、挿通板７３が固着されている。挿通板７３はハット型に折り曲げ形成された板状の部材であって、化粧パネル７２の背面と挿通板７３の内面との間には上下方向に開放する挿通口７３ａが形成されている。
【００９１】
挿通口７３ａにはスタンド８０の柱部８２が遊嵌されており、スタンド８０に対する挿通板７３の上下方向における位置を変更することによって、化粧パネル７２はその高さを変更できる。挿通板７３には板厚方向（図６（ｂ）紙面垂直方向）に貫通する左右一対のボルト穴７３ｂが貫通形成されている。
【００９２】
図６（ａ）、図６（ｂ）及び図９（ｂ）に示すように、スタンド８０は、操作部７０を寝床面から離間させて配置するためのものであって、寝具（畳やベッドマット）が設置される寝床面に設置される接地板８１と、接地板８１から立設される柱部８２と、を備える。接地板８１はＶ字状に形成される板状部材であって、寝具とその寝具が設置される寝床面との間に介設される。柱部８２は操作部７０より長尺の四角柱状に形成される部材であって、Ｖ字状の接地板８１から立設される。
【００９３】
図６（ａ）に示すように、接地板８１は就寝者の自重により寝具と寝床面とで挟持されるので、目覚まし照明装置１００を安定した状態で使用できる。具体的に説明すると、接地板８１が寝具の上面に配置されると、就寝者の寝返り等による寝具の変形に伴い接地板８１に支持される本体１１０もぐらつく。これに対し、接地板８１は寝具と寝床面との間に介設されるので、接地板８１が寝具の上面に配置されない。よって、就寝者の寝返り等により寝具が変形しても、その寝具の変形に伴い本体１１０がぐらつくことを防止できる。
【００９４】
柱部８２は挿通口７３ａに遊嵌されており、柱部８２の後面には、位置決め穴８２ａが上下方向に一定間隔で複数列穿設されている。位置決め穴８２ａが複数列穿設されるので、操作部７０（本体１１０）の高さを寝具や就寝者に対応して調整できる。
【００９５】
左右一対のボルト穴７３ｂに挿通されたボルトＢが柱部８２の位置決め穴８２ａに締結固定されることで、化粧パネル７２が柱部８２にその高さを維持した状態で支持される。よって、化粧パネル７２は操作部７０の下端に連結され操作部７０は本体１１０を上下方向で回動可能に支持しているので、就寝者により調整された高さを維持した状態で本体１１０が上下方向で回動可能に柱部８２に支持される。
【００９６】
図１０及び図１１を参照して、目覚まし照明装置１００の使用状態を説明する。図１０は本体１１０が上下方向で回動可能にスタンド８０に支持される状態を示した図であり、図１０（ａ）は本体１１０を閉じた状態を示す目覚まし照明装置１００の側面図であり、図１０（ｂ）は本体１１０を開放した状態を示す目覚まし照明装置１００の側面図であり、図１０（ｃ）は本体１１０を上限まで回動させた状態を示す目覚まし照明装置１００の側面図である。
【００９７】
図１１は本体１１０がその高さを変更可能にスタンド８０に支持される状態を示した図であり、図１１（ａ）は本体１１０を寝具から離間させた状態を示す目覚まし照明装置１００の側面図であり、図１１（ｂ）は本体１１０を寝具に近接させた状態を示す目覚まし照明装置１００の側面図であり、図１１（ｃ）は本体１１０を上限に位置させた状態を示す目覚まし照明装置１００の側面図である。
【００９８】
図１０に示すように、本体１１０が上下方向で回動可能に柱部８２に支持される。目覚まし照明装置１００の使用状態においては、図１０（ａ）に示すように、本体１１０が閉じた状態とされている。就寝者が起床する際には、本体１１０を上方（図１０（ａ）上方）に回動させることで本体１１０が開放される。この上方への回動動作により、照明装置１５０（図７（ｂ）参照）による光の照射が停止される。図１０（ｃ）に示すように、本体１１０が起立状態となるまで本体１１０を回動させることができるので、就寝者が起き上がる際に本体１１０と干渉することを確実に防止できる。
【００９９】
図１１（ａ）に示すように、畳やベッドの寝床面に載置される接地板８１から立設される柱部８２は、挿通板７３と化粧パネル７２の背面パネル７１ｃとの間に形成される挿通口７３ａに遊嵌されており、図１１（ｂ）及び図１１（ｃ）に示すように、ボルトＢが締結される位置決め穴８２ａ（図９（ａ）参照）の位置を変更することで就寝者や寝具に応じて柱部８２に対する化粧パネル７２の高さを変更できる。
【０１００】
この場合、寝具と本体１１０との間には隙間が形成されるように、位置決め穴８２ａが選択される。本体１１０と寝具との間に形成された隙間を介して本体１１０の内部空間と本体１１０の外部との間で空気循環を行うことができる。よって、第１実施の形態で必要とされた空気循環のためにファン３２ｂを本体１０の内部空間１０ｂ内に配置する必要がないので、ファン３２ｂによる騒音を防止できる。
【０１０１】
最後に、図１２及び図１３を参照して、就寝時から起床までの照明装置１５０により照射される光の変化（照度及び色温度の変化）について説明する。なお、第１実施の形態の照明装置５０により照射される光の変化（照度及び色温度の変化）についても、第２実施の形態の照明装置１５０と同様である。
【０１０２】
図１２（ａ）は就寝から起床にかけて第１照明１５０ａにより照射される光の照度の変化を示すグラフであり、図１２（ｂ）は就寝から起床にかけて第２照明１５０ｂより照射される光の照度の変化を示すグラフであり、図１２（ｃ）は就寝から起床にかけて第１照明１５０ａ及び第２照明１５０ｂにより照射される光の照度の変化を示すグラフである。
【０１０３】
図１３は、就寝から起床まで（図１３（ａ）から図１３（ｆ））の色温度の変化が示される。図１３（ａ）は就寝０分から５０分の間に照射される光の色温度を表す目覚まし照明装置１００の概略正面図であり、図１３（ｂ）は就寝５０分後から起床時間３０分前までに照射される光の色温度を表す目覚まし照明装置１００の概略正面図であり、図１３（ｃ）は起床時間３０分前に照射される光の色温度を表す目覚まし照明装置１００の概略正面図であり、図１３（ｄ）は起床時間２０分前に照射される光の色温度を表す目覚まし照明装置１００の概略正面図であり、図１３（ｅ）は起床時間１０分前に照射される光の色温度を表す目覚まし照明装置１００の概略正面図であり、図１３（ｆ）は起床時間１分前に照射される光の色温度を表す目覚まし照明装置１００の概略正面図である。図１３の各図において操作部７０及びスタンド８０の図示が省略されており、本体１１０が透視され内部空間１１０ｂが図示されている。なお、図１２（ａ）及び図１２（ｂ）に示すように、第１照明１５０ａは起床時のみ光が照射され、第２照明１５０ｂは起床時及び就寝時の両方で光が照射される。第１照明１５０ａは脳内物質のセロトニンを発生させ体内時計（生活リズム）を調整することを目的とし、第２照明１５０ｂは色温度が変化する疑似太陽光（日の出）を再現し、自然と共に生活していた時代（睡眠障害等がない時代）の睡眠・起床環境を再現することを目的としている。
【０１０４】
図１２（ｂ）及び図１３（ａ）に示すように、就寝時から所定時間（本実施例では５０分）継続して、第２照明１５０ｂにより低照度光（０．１ＬＸ・２３００Ｋ）を照射することでたき火の光を再現させる。このとき、第２照明１５０ｂから照射される光に対し、基板１３１（図７（ｂ）参照）による制御によって１／ｆ揺らぎを発生させる。１／ｆ揺らぎとは、規則正しさと不規則さが調和したパターンのことをいい、リラックス効果をもたらすものである。
【０１０５】
図１２（ｂ）及び図１３（ｂ）に示すように、就寝後所定時間が経過した後（本実施例では５０分を経過した後）、第２照明１５０ｂによる光照射が停止される。図１２（ｂ）及び図１３（ｃ）に示すように、起床時間（時刻手段１６０（図８（ｂ）参照）により設定される時間）より所定時間前（本実施例では３０分前）から、第２照明１５０ｂより光の照射が再開される。このとき、再開される光の照射は「昇り始める朝陽」をイメージしており、その再開時の明るさは就寝時のたき火と同じに設定される（０．１ＬＸ・２３００Ｋ）。
【０１０６】
図１２（ｂ）及び図１３（ｄ）から図１３（ｆ）に示すように、第２照明１５０ｂにより照射される光は、その照度及び色温度が最高値（５０００ＬＸ・３５００Ｋ）に達するまで漸増し、ＳＷ３が押下される（スイッチＯＦＦ）までその最高値（５０００ＬＸ・３５００Ｋ）が維持される。起床時に第２照明１５０ｂによって照射される光は、自然と共に生活していた時代の睡眠環境（昇り始めて徐々に地上に姿を現し眩しい光を放つ朝陽）を再現したものである。
【０１０７】
さらに、図１２（ａ）に示すように、目覚まし照明装置１００では、起床時のみに第１照明１５０ａから光が照射される。第２照明１５０ｂにより照射される光の照度及び色温度が起床時に最高値（５０００ＬＸ・３５００Ｋ）に達するのと同時またはその直前に、第１照明１５０ａにより高照度光（１００００ＬＸ・３５００Ｋ）が照射され、ＳＷ３が押下される（スイッチＯＦＦ）まで維持される。
【０１０８】
図１２（ｃ）及び図１３（ｆ）に示すように、起床時間には、第１照明１５０ａ及び第２照明１５０ｂが同時に照射されるが、第１照明１５０ａにより照射される光は、第２照明１５０ｂによるものと比べて高照度であるため、第２照明１５０ｂにより照射される光が第１照明１５０ａにより照射される光にかき消される。よって、両方点灯していても、本体１１０の内部空間１１０ｂ内における光の照度及び色温度は１００００ＬＸ・３５００Ｋとなり、ＳＷ３が押下される（スイッチＯＦＦ）まで維持される。よって、高照度及び高い色温度の光照射が継続されることで、就寝者の体内に発生するセロトニン量が増加し、起床が促進される。
【０１０９】
第２照明１５０ｂにより照射される光が第１照明１５０ａにより照射される光にかき消され、第１照明１５０ａが照射された後は実質的に第２照明１５０ｂが機能しないので、第２照明１５０ｂによる光の照射を中止することも可能であるが、その中止の時期によっては、快適な起床を阻害する。
【０１１０】
即ち、就寝時（就寝から５０分まで）及び起床時（起床時間３０分から起床時間まで）において、第２照明１５０ｂから照射される低・中照度及び低・中度の色温度の光によって夕暮れ及び朝日を再現することで、就寝時には睡眠の深さを徐々に深くし、起床時には睡眠の深さを徐々に浅くしている。
【０１１１】
よって、第２照明１５０ｂによる光の照射が中止される時期が適切でないと、睡眠の深さが十分に浅くなっていない段階で、第１照明１５０ａにより高照度及び高い色温度で光照射が開始されるため、睡眠の深さが十分に浅くなった後に第１照明１５０ａによる光照射を開始した場合と比べて、発生するセロトニンの量が減少する。
【０１１２】
従って、目覚まし照明装置１００によれば、第２照明１５０ｂにより照射される光が第１照明１５０ａにより照射される光にかき消される場合であっても、起床時に第１照明１５０ａ及び第２照明１５０ｂにより光が照射されるので、睡眠の深さが十分に浅くなってから、第１照明１５０ａによって高照度及び高い色温度の光照射を行うことができる。
【０１１３】
本体１１０の内部空間１１０ｂは外部から遮断された状態となっているので、就寝時及び起床時において、照明装置１５０より本体１１０の内部空間１１０ｂの光照射が最も有効に機能する。
【０１１４】
具体的には、図１２（ｃ）及び図１３（ｄ）から図１３（ｆ）に示すように、起床時間３０分前から本体１１０の内部空間１１０ｂが徐々に明るくなり、起床時間には、本体１１０の内部空間１１０ｂの明るさが最大値（約１００００ルクス、３５００Ｋ）となって光照射を行う（サンライズ機能）。目覚めた後、ＳＷ３を押下することで、光照射を一時的に停止させることができる。
【０１１５】
目覚ましには一定時間で光照射と音とがループする機能が装備されており、本体１１０を全開放（図１０（ｃ）に示す状態）にすることにより、光照射の機能を完全にＯＦＦにする。
【０１１６】
以上、上記各実施の形態に基づき本発明を説明したが、本発明は上記各形態に何ら限定されるものではなく、本発明の趣旨を逸脱しない範囲内で種々の変形改良が可能であることは容易に推察できるものである。例えば、上記実施の形態で挙げた数値（照度や色温度）は一例であり、他の数値を採用することは当然可能である。
【０１１７】
第１実施の形態では、手動式の可動開閉式のバイザー２０を用いる場合を、第２実施の形態では手動式の本体１１０を用いる説明したが、必ずしもこれに限られるものではなく、電動の可動開閉式のバイザーや本体を用いることも可能である。
【０１１８】
第１実施の形態では、ケース３２の嵌合口３２ｂ１に基板３１を冷却するファン３２ｂが嵌合される場合を説明したが、ケース３２の放出口３２ｄにファン３２ｂを設けることで、本体１０の取込口１０ａ１から取り入れられた外部空気が、放出口３２ｄを介して本体１０の内部空間１０ｂ内へ送られ易くしてもよい。この場合はケース３２の嵌合口３２ｂ１を塞いでも良い。これにより、本体１０の内周面に沿って積極的に本体１０の外部空気を本体１０の内部空間１０ｂ内に流出させられるので、本体１０の内部空間１０ｂと本体１０の外部との空気循環を促進できる。
【０１１９】
第１実施の形態では、本体１０の外部に配置されるお椀状の回動部材４０に時刻手段６０を設けた場合を、第２実施の形態では、操作部７０に時刻手段１６０を設けた場合を説明したが、必ずしもこれに限られるものではなく、スマートフォンと時刻手段６０，１６０とを無線でリンクさせることにより、自分のスマートフォンを時刻手段６０，１６０として使用しても良い。
【０１２０】
また、クラウドネットワーク上にアプリケーションストアを開設し、睡眠アプリケーションソフトを募集、インターネット回線を利用してダウンロード販売が可能となる。
【０１２１】
また、気象庁が発表する緊急地震速報をスマートフォンアプリにより通知を受け、時刻表示部６１，１６１を点滅させることにより避難を促す機能を装備してもよく、さらには設定した予測地点に到達する震度と時間を音声にて警告することも有効である。
【０１２２】
また、バイザー２０の内側や本体１１０の内側に有機ＥＬディスプレイを搭載、音響システムとしてはサラウンドシステムやシネマＤＳＰ機能を搭載すれば、ＴＶの視聴はもちろんのことビデオ・オン・デマンドをメインとしたホームシアター機能を実現できる。
【０１２３】
また、枕に、加速度センサー（図示せず）を装備してもよい。これにより、睡眠中の体動を随時キャッチする構造とすることで、効果サウンドを活用することにより自然な寝起きが可能となる。
【０１２４】
また、上記加速度センサーを本体１０，１１０に設けてもよく、就寝データ解析や日々の窒素や酸素濃度解析、体温管理や心拍数、呼吸数、血圧等を検知する体動センサーを本体１０，１１０に設けてもよい。病院とオンラインで結ぶことで収録したデータにより簡易検診が可能となる。
【０１２５】
また、アロマを活用することも有効である。本体１０，１１０の上部最後部からペットボトルキャップサイズのアロマ用差込口（図示せず）を設け、アロマオイルボトル（図示せず）が設置してもよい。この場合は、就寝０分から就寝５０分までや、起床時間３０分前にアロマの香りが本体１０，１１０の内部空間１０ｂ，１１０ｂ内に発生するようにすることが望ましい。
【０１２６】
また、本体１０，１１０の上部最後部に加湿用差込口（図示せず）を設けても良い。アロマオイルボトルと別の専用の加湿用ボトルを設置可能とし、別途設けた湿度センサー（図示せず）の感知によって粒子状の霧を噴霧することで、睡眠に適正な湿度（例えば６０％）を維持できる。
【０１２７】
また、上記各実施の形態では、朝の起床に用いられる場合を説明したが、必ずしもこれに限られるものではなく、昼寝からの目覚めに用いても良い。時刻手段６０，１６０に「昼寝ボタン」を設定することで、起床からの快適な目覚めでだけでなく、昼寝からの快適な目覚めを実現できる。
【０１２８】
上記各実施の形態では、起床時間に第１照明５０ａ，１５０ａ及び第２照明５０ｂ，１５０ｂが同時に照射されその状態が継続される場合を説明したが、必ずしもこれに限られるものではなく、第１照明５０ａ，１５０ａが照射された後に第２照明５０ｂ，１５０ｂの照射を中止しても良い。この場合は、第２照明５０ｂ，１５０ｂの照射の照射継続による本体１０，１１０の内部空間１０ｂ，１１０ｂの温度上昇や電気代増加の削減を図ることができる。
【符号の説明】
【０１２９】
１，１００                目覚まし照明装置
１０，１１０                本体
１０ｂ，１１０ｂ            内部空間
１１，１１１                開口
３０，                      制御装置
３１，１３１                基板（制御手段）
５０ａ，１５０ａ            第１照明（照明装置）
５０ｂ，１５０ｂ            第２照明（照明装置）
６０，１６０                時刻手段
６１，１６１                時刻表示部（時刻手段）
６２，１６２                操作子（時刻手段）
８０                        スタンド
８１                        接地板（スタンド）
８２                        柱部（スタンド）
Ｂ                          ボルト（固定部材）
【図１】
2015187986.tif 000003
【図２】
2015187986.tif 000004
【図３】
2015187986.tif 000005
【図４】
2015187986.tif 000006
【図５】
2015187986.tif 000007
【図６】
2015187986.tif 000008
【図７】
2015187986.tif 000009
【図８】
2015187986.tif 000010
【図９】
2015187986.tif 000011
【図１０】
2015187986.tif 000012
【図１１】
2015187986.tif 000013
【図１２】
2015187986.tif 000014
【図１３】
2015187986.tif 000015